(57)【要約】      （修正有）【課題】施工性を低下させることなく、衛生設備機器の出口部と排水配管の入口部との位置関係が所定の位置関係からずれた状態で施工されても漏水を防止することが可能な衛生設備機器を提供する。【解決手段】排水路１４０を備え、建物躯体に設けられている排水配管２００の入口部２０２に排水路１４０の出口部１４２を挿入して連通させる衛生設備機器において、排水路１４０の出口部１４２には、排水配管２００の入口部２０２と排水路１４０の出口部１４２との間の水密を保持するパッキン１６０を備え、このパッキン１６０は、排水路１４０の出口部１４２に外嵌される筒部１６２と、この筒部１６２の外周に設けられ、ガスが内部に充填された中空環状のチューブ部１６４と、を有する。【選択図】図３
2014173281.tif 000002
【特許請求の範囲】
【請求項１】
排水路を備え、建物躯体に設けられている排水配管の入口部に前記排水路の出口部を挿入して連通させる衛生設備機器において、
前記排水路の前記出口部には、前記排水配管の前記入口部と前記排水路の前記出口部との間の水密を保持するパッキンを備え、
このパッキンは、前記排水路の前記出口部に外嵌される筒部と、この筒部の外周に設けられ、ガスが内部に充填された中空環状のチューブ部と、を有する衛生設備機器。
【請求項２】
前記チューブ部は、その外周が、前記排水路の前記出口部の上流端よりも、所定距離以上に下流側に位置するように設けられる請求項１に記載の衛生設備機器。
【請求項３】
前記チューブ部は、前記筒部の外周に複数設けられ、
隣り合う前記各チューブ部は、前記筒部の軸方向に、所定間隔をもって離間して設けられる請求項１または２に記載の衛生設備機器。
【発明の詳細な説明】
【技術分野】
【０００１】
本発明は、建物躯体に設けられている排水配管に接続される衛生設備機器に関する。
【背景技術】
【０００２】
従来、排水配管と衛生設備機器との接続構造として、衛生設備機器の排水路の出口部にパッキンを取り付け、建物躯体に設けられている排水配管の入口部へ、衛生設備機器の出口部を挿入するものが知られている（例えば、特許文献１参照。）。ここで、パッキンはその外周から突出する襞状の弾性リップを有し、衛生設備機器の出口部と排水配管の入口部との間の水密を保持する。
【先行技術文献】
【特許文献】
【０００３】
【特許文献１】実用新案登録第２５６９６２１号公報
【発明の概要】
【発明が解決しようとする課題】
【０００４】
上述した従来の衛生設備機器においては、衛生設備機器の出口部と排水配管の入口部との位置関係が所定の位置関係から極端にずれた状態で施工された場合、パッキンと排水配管の入口部との間に隙間が生じる可能性があった。万一、隙間が生じた場合、パッキンが十分なシール性を発揮することができず、漏水が生じてしまうという懸念があった。また、隙間を生じさせないためにパッキンの弾性リップを大きくした場合、パッキンを取り付けた衛生設備機器の出口部を排水配管の入口部に挿入する際に必要とされる力が大きくなり、施工性が下がる問題があった。
【０００５】
本発明は、上述した問題を解決するためになされたものであり、施工性を低下させることなく、衛生設備機器の出口部と排水配管の入口部との位置関係が所定の位置関係からずれた状態で施工されても漏水を防止することが可能な衛生設備機器を提供することを目的とする。
【課題を解決するための手段】
【０００６】
本発明は、排水路を備え、建物躯体に設けられている排水配管の入口部に前記排水路の出口部を挿入して連通させる衛生設備機器において、前記排水路の前記出口部には、前記排水配管の前記入口部と前記排水路の前記出口部との間の水密を保持するパッキンを備え、このパッキンは、前記排水路の前記出口部に外嵌される筒部と、この筒部の外周に設けられ、ガスが内部に充填された中空環状のチューブ部と、を有する衛生設備機器である。
【０００７】
このように構成された本発明においては、衛生設備機器の排水路の出口部の軸心と排水配管の入口部の軸心とがずれ、いずれかの方向へ片寄った状態で挿入された場合においても、チューブ部内のガスが、衛生設備機器の出口部と排水配管の入口部との隙間が大きい方へと移動する。これにより、衛生設備機器の出口部と排水配管の入口部との隙間を埋めるように、チューブ部が膨張するため、施工性を維持しつつ、排水配管と衛生設備機器との間の水密を保持することができる。
【０００８】
本発明は、さらに、前記チューブ部は、その外周が、前記排水路の前記出口部の上流端よりも、所定距離以上に下流側に位置するように設けられる構成としてもよい。
【０００９】
このように構成された本発明においては、チューブ部の外周が、排水路の出口部の上流端よりも、所定距離以上に下流側に位置するため、衛生設備機器を排水配管に挿入した際に、変形して潰れたチューブ部が、排水配管の入口部から衛生設備機器側へはみ出ることが抑制される。そのため、はみ出たチューブ部が、使用者から見えることを抑制することができる。
【００１０】
本発明は、さらに、前記チューブ部は、前記筒部の外周に複数設けられ、隣り合う前記各チューブ部は、前記筒部の軸方向に、所定間隔をもって離間して設けられる構成としてもよい。
【００１１】
このように構成された本発明においては、チューブ部が複数設けられるため、よりシール性が増す。また、各チューブ部が所定間隔をもって離間して設けられるため、衛生設備機器を排水配管に挿入し、各チューブ部が潰れて変形した際に、各チューブ部同士が干渉し合うことが抑制される。そのため、各チューブ部同士が干渉し合うことによる各チューブ部の変形、及び、それによるシール性の低下を抑制することができる。
【発明の効果】
【００１２】
本発明の衛生設備機器によれば、施工性を低下させることなく、衛生設備機器の出口部と排水配管の入口部との位置関係が所定の位置関係からずれた状態で施工されても漏水を防止することが可能となる。
【図面の簡単な説明】
【００１３】
【図１】本発明の一実施形態に係る大便器を排水配管へ連通させた状態を示す部分断面図。
【図２】（ａ）本発明の一実施形態に係る大便器の排水路の出口部を示す部分断面図。（ｂ）（ａ）におけるパッキンを示す拡大図。
【図３】（ａ）本発明の一実施形態に係る大便器を排水配管へ連通させた状態における排水路の出口部を示す部分断面図。（ｂ）（ａ）におけるパッキンを示す拡大図。
【発明を実施するための形態】
【００１４】
以下、図面を参照して本発明の一実施形態に係る大便器について説明する。図１は本発明の一実施形態に係る大便器が排水配管に連通した状態を示す部分断面図である。
【００１５】
図１に示すように、本発明の一実施形態に係る大便器１００（衛生設備機器）は、床Ｆ上に載置される大便器本体１２０と、この大便器本体１２０に設けられる排水路１４０と、この排水路１４０の出口部１４２に取り付けられるパッキン１６０とを備える。
【００１６】
排水路１４０は、その下流側端部である出口部１４２が、壁Ｗ（建物躯体）から突出した排水配管２００の上流側端部である入口部２０２に挿入されることで連通する。排水路１４０には、大便器本体１２０へ排泄された汚物及びそれを洗浄するための洗浄水が流れ込むとともに、排水配管２００へと汚物及び洗浄水を導く。また、排水路１４０の出口部１４２の下流端は、外側へ向けて突出するリブ部１４２ａを有する。なお、本実施形態においては、排水路１４０の出口部１４２は大便器本体１２０と一体的に形成されているが、本発明はこのような構成に限定されるものではない。例えば、大便器本体とは別体の排水ソケットを排水路の下流端部に取り付け、排水ソケットを排水路の出口部とする構成としてもよい。
【００１７】
パッキン１６０は、詳細は後述するが、大便器１００の排水路１４０の出口部１４２が排水配管２００の入口部２０２に挿入された状態で、大便器１００の排水路１４０の出口部１４２と排水配管２００の入口部２０２との間の水密を保つ。
【００１８】
なお、本実施形態において、排水配管２００の入口部２０２に大便器１００の排水路１４０の出口部１４２が挿入されているが、本発明において排水配管の入口部へ排水路の出口部を挿入する衛生設備機器は大便器に限定されるものではなく、例えば、小便器や手洗い器、汚物流し等でもよい。また、本実施形態において、排水配管２００は壁Ｗから突出しているが、本発明における衛生設備機器の排水路の出口部が挿入される排水配管は、壁に限らず建物躯体であれば床等から突出するものでもよい。さらに、本発明における衛生設備機器の排水路の出口部が挿入される排水配管は、建物躯体から突出していなくとも構わない。
【００１９】
次に、図２（ａ）及び（ｂ）を参照して本発明の一実施形態に係る大便器のパッキンについて説明する。図２（ａ）は本発明の一実施形態に係る大便器の排水路の出口部を示す部分断面図であり、図２（ｂ）は（ａ）におけるパッキンを示す拡大図である。
【００２０】
図２（ａ）及び（ｂ）に示すように、パッキン１６０は、全体として略円筒状である。パッキン１６０は、排水路１４０の出口部１４２に外嵌される筒部１６２と、この筒部１６２の外周に設けられ、ガスが内部に充填された中空環状のチューブ部１６４とを有する。
【００２１】
筒部１６２は、内向きの鍔状部１６２ｂを有する。鍔状部１６２ｂは、パッキン１６０を取り付けた排水路１４０の出口部１４２を排水配管２００の入口部２０２に挿入する際、パッキン１６０と排水配管２００の入口部２０２内壁との間の摩擦によるパッキン１６０の所定位置からのずれを防止する。
【００２２】
チューブ部１６４は、その内部にガスを充填した状態で筒部１６２に溶着されることで筒部１６２の外周に複数設けられる。隣り合う各チューブ部１６４は、筒部１６２の軸方向（図２における左右方向）に、所定間隔ｄ２をもって離間して設けられる。所定間隔ｄ２は、排水路１４０の出口部１４２を排水配管２００の入口部２０２に挿入した際に、各チューブ部１６４同士が互いに押し潰し合わない程度の間隔であればよく、例えば、排水路１４０の出口部１４２を排水配管２００の入口部２０２に挿入する前の状態（図２参照）におけるチューブ部１６４の直径と同じ大きさである。
【００２３】
また、チューブ部１６４は、その外周が、筒部１６２外周において、排水路１４０の出口部１４２の上流端よりも、所定距離ｄ４以上に下流側に位置するように設けられる。所定距離ｄ４は、排水路１４０の出口部１４２が排水配管２００の入口部２０２に挿入され、チューブ部１６４が排水配管２００の入口部２０２内壁により変形した際に、チューブ部１６４が入口部２０２の上流端面から大便器１００側へはみ出ない程度の大きさであればよく、例えば、排水路１４０の出口部１４２を排水配管２００の入口部２０２に挿入する前の状態（図２参照）におけるチューブ部１６４の直径と同じ大きさである。
【００２４】
なお、チューブ部１６４内に充填するガスの種類及び圧力は、排水路１４０の出口部１４２を排水配管２００の入口部２０２に挿入した際に、チューブ部１６４が十分にシール性を発揮するように適宜選択される。また、本実施形態においてチューブ部１６４は、筒部１６２と別体に形成され、ガスを充填したチューブ部１６４を溶着することで筒部１６２外周にチューブ部１６４を設けているが、本発明はこのような構成に限定されるものではない。例えば、チューブ部と筒部とを一体的に形成した後にチューブ部内へガスを充填する構成としてもよい。
【００２５】
次に、図２及び図３を参照して、本発明の一実施形態である大便器１００の取り付けについて簡単に説明する。図３（ａ）は本発明の一実施形態に係る大便器を排水配管へ連通させた状態における排水路の出口部を示す部分断面図であり、図３（ｂ）は（ａ）におけるパッキンを示す拡大図である。
【００２６】
図２（ａ）及び（ｂ）に示すように、壁Ｗから突出した排水配管２００の入口部２０２に向けて、パッキン１６０が取り付けられた大便器１００の排水路１４０の出口部１４２を挿入する。この際、パッキン１６０の筒部１６２内周は排水路１４０の出口部１４２のリブ部１４２ａにより押圧されるとともに、筒部１６２と排水路１４０の出口部１４２外周と密着している。
【００２７】
図３（ａ）及び（ｂ）に示すように、排水配管２００の入口部２０２内に、大便器１００の排水路１４０の出口部１４２を挿入すると、パッキン１６０の筒部１６２の複数のチューブ部１６４が排水配管２００の入口部２０２の内周壁によりそれぞれ変形する。この際、各チューブ部１６４内に充填されたガスは、各チューブ部１６４におけるより押し潰されている部分から、その部分よりも押し潰されていない部分へと移動する。即ち、チューブ部１６４内に充填されたガスは、チューブ部１６４内の排水路１４０の出口部１４２と排水配管２００の入口部２０２との隙間が大きい部分へと移動し、その部分を膨張させる。この各チューブ部１６４の変形及び各チューブ部１６４内でのガスの移動により、排水路１４０の出口部１４２と排水配管２００の入口部２０２との間の水密が保持される。
【００２８】
上述した本発明の一実施形態による大便器１００によれば、大便器１００の排水路１４０の出口部１４２の軸心と排水配管２００の入口部２０２の軸心とがずれ、いずれかの方向へ片寄った状態で挿入された場合においても、各チューブ部１６４内のガスが、排水路１４０の出口部１４２と排水配管２００の入口部２０２との隙間が大きい方へと移動する。従って、大便器１００の排水路１４０の出口部１４２と排水配管２００の入口部２０２との隙間を埋めるように各チューブ部１６４が膨張するため、施工に手間がかからず、排水配管２００と大便器２００との間の水密を保持することができる。
【００２９】
また、上述した本発明の一実施形態による大便器１００によれば、チューブ部１６４の外周が、筒部１６２外周において、排水路１４０の出口部１４２上流端よりも、所定距離ｄ４以上に下流側に位置する。そのため、大便器１００の排水路１４０の出口部１４２を排水配管２００の入口部２０２に挿入した際に、変形して潰れたチューブ部１６４が、排水配管２００の入口部２０２から大便器１００側へはみ出て、使用者から見えることが抑制される。
【００３０】
さらに、上述した本発明の一実施形態による大便器１００によれば、チューブ部１６４が複数設けられるため、単数のチューブ部１６４を設ける場合に比べて、よりシール性が増すため、漏水をより確実に防ぐことができる。また、各チューブ部１６４が所定間隔ｄ２をもって離間して設けられるため、大便器１００の排水路１４０の出口部１４２を排水配管２００の入口部２０２に挿入し各チューブ部１６４が潰れて変形した際に、各チューブ部１６４同士が干渉し合うことが抑制される。従って、各チューブ部１６４同士が干渉し合うことによる各チューブ部１６４の変形、及び、それによるシール性の低下を抑制することができる。
【符号の説明】
【００３１】
１００…大便器
１２０…大便器本体
１４０…排水路
１４２…出口部
１４２ａ…リブ部
１６０…パッキン
１６２…筒部
１６２ｂ…鍔状部
１６４…チューブ部
２００…排水配管
２０２…入口部
Ｗ…壁
Ｆ…床
【図１】
2014173281.tif 000003
【図２】
2014173281.tif 000004
【図３】
2014173281.tif 000005